(57)【要約】【課題】  猫トイレを居室に置くためには、数袋分の猫砂と掃除用具の置き場の確保、身体的負担がない猫砂補充と猫砂粉末の飛散防止、トイレ臭の衛生的処理と屋外排気などが必要である。【解決手段】  一体の箱状容器本体内に、数袋分の猫砂を貯蔵する猫砂貯蔵装置、猫トイレに容易に適量の猫砂が補充できる猫砂落下装置、猫砂落下時の猫砂粉末飛散防止装置、猫トイレ掃除を容易にする猫トイレ装置、掃除用具収納装置、トイレ臭と掃除用具臭を衛生的に処理する空気清浄装置、フィルターの点検交換が容易で付着塵埃が周囲に飛散しないカセット式フィルターとその交換装置、好みの香料を屋内に放香させる香料放香装置、及び清浄空気を屋外に全量排気する屋外排気装置を装備する。【選択図】図１
2008259483.tif 000002
【特許請求の範囲】
【請求項１】
蓋と扉で解放できるが、それらを閉じれば本体内部を空気負圧により密封できる一体の箱状容器の本体に、数袋分の猫砂を貯蔵するための猫砂貯蔵装置と、猫トイレに容易に適量の猫砂を落下させるための猫砂落下装置と、猫砂落下時の猫砂粉末の飛散を防止するための猫砂粉末飛散防止装置と、猫トイレの掃除を容易にするための引き出し状トイレトレイの猫トイレ装置と、掃除用具を収納するための掃除用具収納装置と、トイレ臭と掃除用具臭を衛生的に処理するための空気清浄装置と、消臭、空気清浄、防塵などの各種フィルターをそれぞれ別個に１０センチ角くらいの枠と一体化したカセット式フィルターと、空気清浄装置の各種フィルターの点検や交換が手を汚すことなく容易にでき、付着している塵埃が周囲に飛散しないようにするためのカセット式フィルター交換装置Ａ、Ｂと、好みの香料を屋内に効率的に放香させるための香料放香装置と、清浄空気を屋外に全量排気するための屋外排気装置とを有することを特徴とする猫トイレ。
【請求項２】
数袋分の猫砂を貯蔵して猫砂袋の置き場所を他に要しないための、本体上部にあって数袋分の猫砂を腰高さに貯蔵する、蓋があって常時は閉じているが、猫砂を補充するときは上方向に蓋を開け、残量の猫砂の上に猫砂袋を置いて、猫砂補充できることを特徴とした猫砂貯蔵装置。
【請求項３】
猫砂補充時の身体的負担を無くし、容易に適量の猫砂を猫トイレに自然落下させるための、漏斗状内底の下部にシュート穴が開いていて、その穴を塞ぐ、引きバネで閉じる方向に引かれている板状のシュート板を設置し、シュート板を手で引き出すとシュート穴が開くので猫砂が猫トイレトレイに自然落下し、シュート板を手放すと引きバネで引かれ、シュート穴が閉じるので猫砂の落下が停止することを特徴とした猫砂落下装置。
【請求項４】
猫砂流入時の猫砂粉末の飛散を防止するための、本体を一体箱状にして密封するとともに、猫出入口を本体下部正面に開口して扉を設け、猫用便時は開口するが、猫砂落下時は扉を閉めて密封し、電動排気扇で本体内部を負圧状態にして、猫砂粉末が本体外に飛散するのを防止することを特徴とした猫砂粉末飛散防止装置。
【請求項５】
猫トイレ掃除をしやすくするための、本体下部にあってスライドレールで手前に引き出せるようになっている上部が解放している箱状のトレイであることを特徴とした猫トイレ装置。
【請求項６】
掃除用具等を収納し、他に置き場を要しないための、猫砂落下装置の漏斗状の下部空間を利用した、上部が解放した箱状の収納棚であり、手前に開けると収納棚の延長になる上下に回転する蓋があることを特徴とする掃除用具収納装置。
【請求項７】
猫トイレ臭と掃除用具臭を衛生的に処理するための、本体上後部に設置し、上部に開閉できる蓋があり、蓋を閉じると１０センチ角くらいの四角ダクト状の空間になり、その内部に本体内部の空気を本体外に排出するための電動排気扇と、各種カセット式フィルターをセットしたフィルター交換装置Ａ、またはＢとを一体化したものであり、ダクト状の吸気側は本体内部に下向き開口し、排気側は本体外部に上向き開口していることを特徴とする空気清浄装置。
【請求項８】
トイレ臭と掃除用具臭を衛生的に処理するための消臭、空気清浄、防塵などの各種フィルターをそれぞれ別個に１０センチ角くらいの枠と一体化したもので、空気清浄装置の四角ダクト状の空間にそれぞれ単独に適切な間隔を取り、上下方向の差し込み式で着脱できることを特徴としたカセット式フィルター。
【請求項９】
フィルター面に手を触れずに容易に点検、交換ができて付着している塵埃を飛散させないための、空気清浄装置の四角ダクト状内部４面に各種カセット式フィルターに適合する密閉区画溝を適切な間隔で数ヶ所設けたもので、各種カセット式フィルターを点検、交換するときに上下方向の差し込み式で容易に着脱できることを特徴としたフィルター交換装置Ａ。
【請求項１０】
フィルター面に手を触れずに容易に点検、交換ができて付着している塵埃を飛散させないための、空気清浄装置の四角ダクト状内部４面に各種カセット式フィルターを密閉区画できる弾力性のあるスポンジ板を取付けたもので、各種カセット式フィルターを点検、交換するときに上下方向の差し込み式で任意の間隔で容易に着脱できることを特徴としたフィルター交換装置Ｂ。
【請求項１１】
清浄後排気に香料を混合させて屋内に強制放香するための、空気清浄装置の排気側開口部に香料容器を収容するスペースがあることを特徴とした香料放香装置。
【請求項１２】
猫トイレ臭と掃除用具臭を屋外に全量排気するための、空気清浄装置の排気側上向き開口部に屋外に通ずる排気パイプを接続することを特徴とした屋外排気装置。
【発明の詳細な説明】
【技術分野】
【０００１】  本発明は、数袋分の猫砂を貯蔵するための猫砂貯蔵装置と、その下にある猫トイレトレイに容易に適量の猫砂を落下させるための猫砂落下装置と、猫砂落下時の猫砂粉末の飛散を防止するための猫砂粉末飛散防止装置と、猫トイレの掃除を容易にするための引き出し状トイレトレイの猫トイレ装置と、掃除用具を収納するための掃除用具収納装置と、トイレ臭と掃除用具臭を衛生的に処理するための空気清浄装置と、消臭、空気清浄、防塵などの各種フィルターをそれぞれ別個に１０センチ角くらいの枠と一体化したカセット式フィルターと、空気清浄装置の各種フィルターの点検や交換が手を汚すことなく容易にでき、付着している塵埃が周囲に飛散しないようにするためのカセット式フィルター交換装置Ａ、Ｂと、好みの香料を屋内に放香させるための香料放香装置と、清浄空気を屋外に全量排気するための屋外排気装置とを有する、居室に置いても支障のない一体箱状容器の猫トイレに関するものである。
【背景技術】
【０００２】  核家族化、高齢化とともに猫のペット飼育が年々増加しているが、現在市販されている猫トイレはプラスチック製の容器に猫砂を入れただけのものなので、猫トイレ臭と衛生面などで支障があり、その置き場所に苦慮しつつ勝手口や廊下などに仕方なく置いているが、それとて屋内であることにかわりないので、好ましいことではない。しかし、それらの課題が解決できれば居間などの居室に置きたいと思っている。【０００３】  一般的にトイレの掃除は以下の通りである。常にトイレ臭を発しているので勝手口など、人がいない屋内に置いてあるプラスチック製トイレの中の猫砂と混じって固まった大小用便の固形物をスコップ状の用具ですくい取り、ビニール袋などに入れた後、減ったトイレの中の猫砂を適量補充することで作業が終了する。【０００４】  猫砂はビニル製の猫砂袋に封入されて市販されているが、新規購入した数袋の猫砂袋と、開封して残量がある猫砂袋の置き場が猫トイレの近くに必要である。【０００５】  猫トイレに猫砂を入れるとき、床に置いた猫砂袋の上部を開封してから中腰姿勢で猫砂袋を持ち、床に置いてある猫トイレに猫砂袋を傾け上部から流入させるが、猫砂が重いので身体的苦痛が大きく、流入量の調節も難しいので著しく不便な状況にある。また、猫砂を上から流入させているとき猫砂粉末が周囲に飛散するので人体に有害である。【０００６】  このとき中腰姿勢で重い猫砂袋を持たざるを得ない理由は以下の通りである。トイレが適度に高い位置に置いてあり、猫砂袋を猫トイレの中に置いてからその下部をカッターなどで開封し、ゆっくり引き上げ、毎回全量を入れるのであれば中腰姿勢にもならず、猫砂粉末が飛散することもない。【０００７】  しかし、猫トイレは猫が使用する利便性から床に置くのが一般的である。掃除後に減った分量の猫砂を補充するだけなので、新規の猫砂袋の全量をトイレに入れることはなく、適量を猫トイレに入れ、残量はそのまま猫砂袋で近くの置き場に保管する。【０００８】  そのため猫トイレは低い位置にあり、全量を入れないため猫トイレ内の不衛生な使用中の猫砂の上に直接猫砂袋を置いて下部を開封して猫砂を入れることができないので、中腰姿勢で重い猫砂袋を持たざるを得ない。【０００９】  床に置いてある猫トイレに猫砂袋を傾け猫砂を上から流入させているとき、猫砂粉末が周囲に飛散するので人体に有害である。【００１０】  猫トイレを掃除するためにマスク、手袋、防護眼鏡、スコップ、ビニル袋などの掃除用具が必要だが、使用するたびに掃除用具を洗うとは限らないため、それらは不衛生で掃除用具臭があり、見た目も良くないので、猫用便固形物を入れたビニル袋と共に、猫トイレの近くに置き場が必要である。【００１１】  日常、猫が任意に猫トイレを使用するので密封できないため、猫トイレから常に猫トイレ臭を発するので、廊下や勝手口などに置いても屋内であることに変わりなく、人体に有害である。【００１２】  ペット用の空気清浄フィルター、消臭フィルター、塵埃フィルターなど（以下、各種フィルター）を装着した空気清浄機が市販されているが、居室や猫トイレの近くに置くだけの、猫トイレとは別個のものであり、猫トイレと一体化して直接空気清浄するものではな��。【００１３】  従来の空気清浄機の各種フィルターの収納部は平面的発想で、十分な収納厚さスペースを取らないため重なり、接触している状態なので、それらの性能を十分に発揮できていないし、正面または裏面の一方向からしか点検や交換ができないので、汚れているフィルター面に手を触れねばならないし、そのとき塵埃も飛散するので不衛生である。【００１４】  猫トイレ臭等を空気清浄するとともに、屋内に好みの香料を放香させることは好ましいことである。【００１５】  猫トイレ臭等を空気清浄して屋内に排気しても、人によっては万全と思わない状況も想定できるで、それらを屋外に全量排気することも必要である。【００１６】  このように従来は猫砂、猫トイレ、掃除用具、空気清浄機をそれぞれ別個に考えていて、それらを一体化する複合的発想がなかった。
【発明の開示】
【発明が解決しようとする課題】
【００１７】  新規購入した数袋の猫砂袋と、開封して残量がある猫砂袋の置き場を猫トイレの近くに確保すること。【００１８】  重い猫砂袋を中腰姿勢で持ちながら猫砂をトイレに入れる不便さをなくし、猫砂流入量の調節を容易にすること。【００１９】  猫砂流入時の猫砂粉末の周囲への飛散を防止すること。【００２０】  猫トイレの掃除を容易にすること。【００２１】  猫トイレの掃除用具と猫用便固形物を入れたビニル袋の置き場を猫トイレの近くに確保すること。【００２２】  トイレ臭と掃除用具臭を衛生的に処理し、居室に猫トイレを置いても支障ない清浄な屋内空気環境を提供すること。【００２３】  空気清浄装置の各種フィルターの点検や交換が手を汚すことなく容易にでき、付着している塵埃が周囲に飛散しないようにすること。【００２４】  好みの香料を屋内に効果的に放香できるようにすること。【００２５】  清浄空気を屋外に全量排気できるようにすること。
【課題を解決するための手段】
【００２６】  蓋と扉で解放できるが、それらを閉じれば内部を密封できる一体の箱状容器本体内に、数袋分の猫砂を貯蔵するための猫砂貯蔵装置と、猫トイレに容易に適量の猫砂を落下させるための猫砂落下装置と、猫砂落下時の猫砂粉末の飛散を防止するための猫砂粉末飛散防止装置と、猫トイレの掃除を容易にするための引き出し状トイレトレイの猫トイレ装置と、掃除用具を収納するための掃除用具収納装置と、トイレ臭と掃除用具臭を衛生的に処理するための空気清浄装置と、消臭、空気清浄、防塵などの各種フィルターをそれぞれ別個に１０センチ角くらいの枠と一体化したカセット式フィルターと、空気清浄装置の各種フィルターの点検や交換が手を汚すことなく容易にでき、付着している塵埃が周囲に飛散しないようにするためのカセット式フィルター交換装置Ａ、Ｂと、好みの香料を屋内に放香させるための香料放香装置と、清浄空気を屋外に全量排気するための屋外排気装置を装備する。【００２７】  ただし、猫の出入口は日常開口しているし、本体各部分は必ずしも常圧で密封されているとは言えないが、電動排気扇で排気して本体内部が常時負圧になっているのでトイレ臭等がそのまま猫トイレ外に出ることがない、空気圧的に密封しているという意味である。【００２８】  猫砂貯蔵装置は本体上部にあって数袋分の猫砂を貯蔵でき、蓋があって常時は閉じているが、猫砂を補充するときは上方向に蓋を開け、残量の猫砂の上に猫砂１袋を置いてカッターなどで開封し、補充する。複数袋のときは、それを繰り返す。【００２９】  猫砂落下装置は、その漏斗状内底の下部にシュート穴が開いていて、シュート穴を塞ぐ、引きバネで閉じる方向に引かれている板状のシュート板を設置したものであり、シュート板を手で引き出すとシュート穴が開くので、猫砂がトイレトレイに自然落下し、シュート板を手放すと引きバネで引かれ、シュート穴が閉じるので猫砂の落下が停止する。【００３０】  猫砂粉末防止装置は、本体を一体箱状にして密封するとともに、猫出入口を本体下部正面に開口して扉を設け、猫用便時は開口するが、猫砂落下時は扉を閉めて密封するものであり、電動排気扇で本体内部を常時負圧状態にして猫砂粉末が本体外に漏れるのを防止するものである。【００３１】  猫トイレ装置は、猫が用便しやすいように本体下部にあり、正面に猫が出入りするための適切な開口があり、扉で閉じられるようになっていて、上部が解放している箱状のトレイである。猫トイレの掃除を容易にするためにトレイはスライドレールで手前に引き出せるようになっている。【００３２】  掃除用具収納装置は、猫砂落下装置の漏斗状底板の下部空間を利用した、上部が解放している箱状の収納棚であり、手前に開けると収納棚の延長になる上下方向にに回転する蓋がある。【００３３】空気清浄装置は、本体上後部に設置し、上部に開閉できる蓋があり、蓋を閉じると１０センチ角くらいの四角ダクト状の空間になり、その内部に本体内部の空気を本体外に排出するための電動排気扇と、数ヶ所の密閉区画溝にトイレ臭と掃除用具臭を衛生的に処理するための各種カセット式フィルターを嵌め込み一体化したものであり、ダクト状の吸気側は本体内部に下向き開口し、排気側は本体外部に上向き開口し���いるものである。【００３４】  カセット式フィルターは、消臭、空気清浄、防塵などの各種フィルターをそれぞれ別個に１０センチ角くらいの枠と一体化したもので、空気清浄装置の四角ダクト状の空間にそれぞれ単独に適切な間隔を取り、上下方向の差し込み式で着脱するためのものである。【００３５】  空気清浄装置内のフィルター交換装置Ａは、四角ダクト状内部４面に密閉区画溝を適切な間隔で数ヶ所設けたもので、各種カセット式フィルターを点検、交換するために上下方向の差し込み式で容易に着脱できる。【００３６】  空気清浄装置内のフィルター交換装置Ｂは、四角ダクト状内部４面に密閉区画できる弾力性のあるスポンジ板を取付けたもので、各種カセット式フィルターを点検、交換するために上下方向の差し込み式で任意の間隔に容易に着脱できる。【００３７】  香料放香装置は、空気清浄装置の排気側開口部に好みの香料容器が置けるようしたものである。【００３８】  屋外排気装置は、空気清浄装置の排気側上向き開口部に屋外へ全量排気するための、屋外に通ずる排気パイプを接続したものである。
【発明の効果】
【００３９】  猫砂貯蔵装置の猫砂袋投入口が身体の負担が少ない腰高さにあることと、猫砂数袋分を貯蔵できる貯蔵装置内は未使用の猫砂だけのためその全量を入れることができるので、未開封の猫砂袋を残量の猫砂の上に置き、その下部をカッターなどで開封し、ゆっくり引き上げれば、猫砂は粉末が飛散することなく自重で静かに貯蔵装置内に流入していくためほとんど力を要しないので、従来の中腰姿勢での苦痛を伴う猫砂補充作業から解放される。【００４０】  一度に猫砂１袋全量を猫トイレに補充することはなく、数回にわたって補充するが、そのたびに重い猫砂袋を持たねばならなかったが、本容器を使用すれば一度だけ猫砂袋を持ち、他の数回は持たずに済むので身体の負担が大きく緩和される。【００４１】  本体の平面スペースは従来の市販猫トイレと同程度で、買い置きする数袋分の猫砂と残量の猫砂を猫砂貯蔵装置に貯蔵できるので、従来の猫砂袋の置き場が不要になる。【００４２】  猫砂落下装置のシュート板は手で軽く引き出せるので身体の負担が無く、その引き出し巾と解放時間（数秒）は任意なので、猫砂の流入量を任意に容易に調節できる。【００４３】猫砂粉末飛散防止装置が猫砂落下時の周囲への猫砂粉末の飛散を防止するし、人が鼻から猫砂粉末を吸引することもない。また電動排気扇により、猫砂粉末を早く鎮静化できる。【００４４】  猫トイレ装置は本体下部正面に猫が出入りするための適切な開口があるので、猫が用便しやすく、猫トレイトレイがスライドレールで手前に引き出せるようになっているので猫トイレの掃除が容易である。【００４５】  掃除用具収納装置は、手前に開けると収納棚の延長になる上下方向に回転する蓋があるので掃除用具と猫用便固形物を入れたビニル袋の出し入れが容易であり、従来のそれらの置き場が不要になる。【００４６】  空気清浄装置は電動排気扇に吸引されて猫トイレトレイから上昇してくるトイレ臭と、上部を開放した掃除用具装置の収納棚の掃除用具臭を、各種カセット式フィルターを通して清浄化し、屋内に排気するので、それらが直接屋内に漏れることなく衛生的な屋内空気環境を提供できる。【００４７】  空気清浄装置は長い四角ダクト形状になっていて、電動排気扇と相当数の各種カセット式フィルターが適切な間隔で密封区画できるので、それらの性能を十分に発揮できる。【００４８】  各種フィルター交換装置は空気清浄装置の消臭フィルター、空気清浄フィルター、集塵フィルターなどを１０センチ角くらいの大きさにカセット化することで、その種類を問わず使用でき、上下着脱式なので手を汚すことなく、付着している塵埃が周囲に飛散することなく容易にそれらの点検、交換ができる。今後、新種の厚さのあるフィルターが出現しても厚さ方向のスペースが十分あるので、それをカセット化して使用できる。【００４９】  香料放香装置は空気清浄装置の排気側スペースに容器に入った好みの香料を置くことができ、排気される清浄空気圧で香料を屋内に強制的に放香できるので香料放香効果が大きい。【００５０】  屋外排気装置は空気清浄装置の上向き排気口に、屋外へ排気するための屋外に通ずる排気パイプを接続して確実に屋外に全量排気できるので、さらに衛生的な屋内空気環境を提供できる。
【発明を実施するための最良の形態】
【００５１】  以下、本発明の実施例について図１で説明する。本発明の本体１は箱状の容器で、上部に猫砂貯蔵装置２とその下部の猫砂落下装置３、猫砂粉末飛散防止装置４、猫トイレ装置５、掃除用具収納装置６、空気清浄装置７、カセットフィルター交換装置８、香料放香装置９、屋外排気装置１０とで構成されている。【００５２】  猫砂貯蔵装置２は本体上部にあって数袋分の猫砂を貯蔵でき、蓋２１があって常時は閉じているが、猫砂を補充するときは上方向に蓋２１を開け、残量の猫砂の上に猫砂１袋を置いてカッターなどで開封し、補充する。複数袋のときは、それを繰り返す。【００５３】  猫砂落下装置３は、漏斗状底板３１の下部にシュート穴３２が開いていて、シュート穴３２を塞ぐ、引きバネで閉じる方向に引かれて水平移動する板状のシュート板３３で構成され、シュート板３３を手で引き出すとシュート穴３２が開くので、猫砂が猫トイレトレイ５１に自然落下し、シュート板３３を手放すと引きバネで引かれ、シュート穴３２が閉じるので猫砂の落下が停止する。シュート板３３の引き出し巾と解放時間（数秒）は任意なので、猫砂の流入量を任意に容易に調節できる。【００５４】  猫砂落下装置３のシュート穴３２の形状は四角形や円形などが考えられる。また、水平移動して開閉する板状のシュート板３３の他に、回転して開閉する配管用バルブ状の開閉装置なども考えられる。【００５５】  猫砂粉末防止装置４は、本体１を一体箱状にして密封するとともに、猫出入口を本体下部正面に開口してＡ扉４１を設け、猫用便時は開口するが、猫砂落下時はＡ扉４１を閉めて密封し、電動排気扇７２で本体１内部を常時負圧状態にすることで、猫砂粉末が本体１外に漏れるのを防止できる。【００５６】  猫トイレ装置５は、猫が用便しやすいように本体１下部にあり、正面に猫が出入りするための適切な開口があり、透明のＡ扉４１で閉じられるようになっていて、上部が解放している箱状の猫トイレトレイ５１で構成されている。猫トイレの掃除を容易にするためにＡ扉４１を開け、さらに透明のＢ扉４２が開けられるようになっていて、猫トイレトレイ５１はスライドレール５２で手前に引き出せるようになっている。猫トイレトレイ５１は取り外して掃除することができる。【００５７】  掃除用具収納装置６は、正面に上下方向に開閉する蓋６１と、漏斗状底板３１の下部空間を利用した上部が解放している箱状の収納棚６２で構成されている。【００５８】  空気清浄装置７は、本体１上後部に設置し、上部に上下に開閉できる蓋７１があり、蓋を閉じると１０センチ角くらいの四角ダクト状の空間になり、その内部に本体１内部の空気を本体外に排出するための電動排気扇７２と、適合する数ヶ所の密閉区画溝８１にトイレ臭と掃除用具臭を衛生的に処理するための各種カセット式フィルター７３を嵌め込み一体化したものであり、ダクト状の吸気側スペース７４は本体内部に下向き開口し、排気側スペース７５は本体外部に上向き開口している。【００５９】  フィルター交換装置Ａ８は、空気清浄装置７に装着する１０センチ角くらいのカセット式フィルター７３を、空気清浄装置７内部に数ヶ所ある密閉区画溝８１に上下方向の差し込み式で着脱する。【００６０】  フィルター���換装置Ｂは図示していないが、空気清浄装置７の四角ダクト状空間の内部４面に弾力性のあるスポンジ板を取付け、カセット式フィルター７３を任意の位置に任意の数だけ上下方向の差し込み式で着脱できる。【００６１】  香料放香装置９は、空気清浄装置７の排気側スペース７５に好みの市販香料ボックス９１が置けるようになっている。【００６２】  屋外排気装置１０は、空気清浄装置７の排気側スペース７５の上向き開口部に排気パイプ１０１を接続し、図７の外壁１０２を貫通して屋外へ排気できるようになっている。【００６３】  本発明の使用手順を以下に説明する。通常の使用状態は、猫が出入りするＡ扉４１だけ開けて他の全ての蓋と扉を閉じ、空気清浄装置７の電動排気扇７２を稼働状態にする。猫が任意に用便し、猫トイレ臭と掃除用具臭は常時空気清浄装置７によって清浄になった空気が屋内に送風されるか、又は排気パイプ１０１で屋外に送風されるので、快適な屋内空気環境が得られる。【００６４】  猫砂を猫砂貯蔵装置２に貯蔵するには、猫砂貯蔵装置２の蓋２１を開け、購入した猫砂１袋を残量の猫砂の上に置き、カッターで袋の下部を水平に切ってから、猫砂が自重で袋から自然流出していくのに合わせて静かにゆっくり袋を引き上げていくとほとんど力を要せず、また猫砂は粉末を発散することなく流入する。その後、蓋２１を閉じることで終了する。【００６５】  猫トイレを掃除するには、透明のＡ扉４１とＢ扉４２を開け、猫トイレトレイ５１を引き出して、大小用便の固形物をスコップ等ですくい取り、ビニール袋などに入れた後、猫トイレトレイ５１を押し戻し、Ａ扉４１とＢ扉４２を閉めることで終了する。【００６６】  減った猫砂を補充するには、００６３の終了状態で透明のＡ扉４１とＢ扉４２を通して内部を見ながら、猫砂落下装置３のシュート板３３を引き出し、数秒して適量の猫砂が補充されたことを確認してからシュート板３３を手放すと猫砂の落下が停止する。その後、内部の猫砂粉末が沈静化するのを待ってＡ扉４１とＢ扉４２を開け、スコップなどで猫砂をならして終了する。【００６７】  掃除用具を使用するには、掃除用具収納装置６の蓋６１を手前に開けて掃除用具を取り出し、掃除が済んだら猫用便固形物を入れたビニル袋と共に掃除用具を収納し、蓋６１を閉めることで終了する。【００６８】  カセットフィルターを点検または交換するには、空気清浄装置７の蓋７１を開け、カセットフィルター交換装置８の密閉区画溝８１から順次に各カセット式フィルター７３を上に引き出して点検または交換し、蓋７１を閉じて終了する。【００６９】  屋内に好みの香料を放香させたいときは、市販の放香ボックスを空気清浄装置７の排気側スペース７５に置くだけで、排気圧によって効果的に放香される。
【図面の簡単な説明】
【００７０】
【図１】本発明の斜視図である。
【図２】本発明の正面図である。
【図３】本発明のＡ−Ａ平面図である。
【図４】本発明のＢ−Ｂ平面図である。
【図５】本発明のＣ−Ｃ縦断面図である。
【図６】本発明のＤ−Ｄ縦断面図である。
【図７】本発明のＥ−Ｅ縦断面図である。
【符号の説明】
【００７１】１  本体
２  猫砂貯蔵装置
２１  蓋
２２  残量表示窓
３  猫砂落下装置
３１  漏斗状底板
３２  シュート穴
３３  シュート板
４  猫砂粉末飛散防止装置
４１  Ａ扉
４２  Ｂ扉
５  猫トイレ装置
５１  猫トイレトレイ
５２  スライドレール
６  掃除用具収納装置
６１  蓋
６２  収納棚
７  空気清浄装置
７１  蓋
７２  電動排気扇
７３  カセット式フィルター
７４  吸気側スペース
７５  排気側スペース
８  カセットフィルター交換装置
８１  密閉区画溝
９  香料放香装置
９１  香料ボックス
１０  屋外排気装置
１０１  排気パイプ
１０２  外壁
【図１】
2008259483.tif 000003
【図２】
2008259483.tif 000004
【図３】
2008259483.tif 000005
【図４】
2008259483.tif 000006
【図５】
2008259483.tif 000007
【図６】
2008259483.tif 000008
【図７】
2008259483.tif 000009